(57)【要約】【課題】本発明は競争報酬データベース（１０）を実行及び／又は管理するためのシステム及び方法に関する。【解決手段】メンバデータは、少なくとも一つのメンバコンピュータ（３０）から、データ供給（４０）を介して、受け取られる。（原）メンバデータは、競争報酬データベース（１０）に自動的にマップされ、取り込まれる。データ収集ツール（５０）は、好ましくは、データ供給（５２）を介してデータネットワークに連結し、メンバデータのマッピングの調整の操作可能とする。報酬ワークベンチ（６０）は、好ましくは、データ供給（７０）を介してデータネットワークに連結され、 競争報酬データベースの一般的な問い合わせ操作が可能である。【選択図】図１
2004507831.tif 000002
【特許請求の範囲】
【請求項１】
ａ）少なくとも一つのメンバコンピュータからデータ供給を介してメンバデータを受け取り、
ｂ）編入のためのメンバデータを競争報酬データベースに自動的にマップし、
ｃ）メンバデータを競争報酬データベースに取り込む
こと含む競争報酬データベースを管理する方法。
【請求項２】
前記競争報酬データベースは、基本給支払データ、長期インセンティブ支払データ及び年次インセンティブ支払データの少なくとも１つを含む請求項１に記載の方法。
【請求項３】
前記競争報酬データベースは、少なくとも一つの算出データ値を含む請求項２に記載の方法。
【請求項４】
メンバデータのマッピング調整の操作可能なデータ収集ツールを更に備える請求項１に記載の方法。
【請求項５】
前記データ収集ツールは、データネットワークに連結し、少なくとも一部の前記競争報酬データベースへの遠隔アクセスを供するよう操作可能である請求項４に記載の方法。
【請求項６】
前記競争報酬データベースの問い合わせ操作が可能な報酬ワークベンチを更に備える請求項１に記載の方法。
【請求項７】
前記報酬ワークベンチは、データネットワークに連結し、少なくとも一部の前記競争報酬データベースへの遠隔アクセスを供するよう操作可能である請求項６に記載の方法。
【請求項８】
前記報酬ワークベンチは、少なくとも一つの第三者人的資源管理システムに自動データ供給するよう操作可能である請求項６に記載の方法。
【請求項９】
ａ）競争報酬データベース及びデータ通信チャネルを有する競争報酬データベースサブシステムと、
ｂ）競争報酬データベースへの編入の前に自動的にメンバデータをマッピングするマッピングデータと、
ｃ）データ通信チャネルに連結するデータ供給を有する少なくとも一つのメンバコンピュータシステム
とを備える競争報酬データベースシステム。
【請求項１０】
前記競争報酬データベースは、基本給支払データ、長期インセンティブ支払データ及び年次インセンティブ支払データの少なくとも一つを含む請求項９に記載のシステム。
【請求項１１】
前記競争報酬データベースは、少なくとも一つの算出データ値を含む請求項１０に記載のシステム。
【請求項１２】
メンバデータのマッピング調整の操作可能なデータ収集ツールを更に備える請求項９に記載のシステム。
【請求項１３】
前記データ収集ツールは、データネットワークに連結し、少なくとも一部の競争報酬データベースに遠隔アクセスを供する操作が可能である請求項１２に記載のシステム。
【請求項１４】
競争報酬データベースの問い合わせ操作が可能な報酬ワークベンチを更に備える請求項９に記載のシステム。
【請求項１５】
前記報酬ワークベンチは、データネットワークに連結し、少なくとも一部の競争報酬データベース遠隔アクセスを供する操作が可能である請求項１４に記載のシステム。
【請求項１６】
前記報酬ワークベンチは、少なくとも一つの第三者人的資源管理システムにデータ供給を自動化するように操作可能である請求項１４に記載のシステム。
【請求項１７】
ａ）競争報酬データベース及びデータ通信チャネルを有する競争報酬データベースサブシステムと、
ｂ）競争報酬データベースへの編入の前に、自動的にメンバデータをマッピングするマッピングデータと、
ｃ）データ通信チャネルに連結するデータ供給を有する少なくとも一つのメンバコンピュータシステムと、
ｄ）メンバデータのマッピング調整操作可能なデータ収集ツールと、
ｅ）競争報酬データベースの問い合わせ操作可能な報酬ワークベンチ
とを備える競争報酬データベースシステム。
【請求項１８】
前記競争報酬データベースが、基本給支払データ、長期インセンティブ支払データ及び年次インセンティブ支払データの少なくとも１つを含む請求項１７に記載のシステム。
【請求項１９】
前記競争報酬データベースは、少なくとも一つの算出データ値を含む請求項１８に記載のシステム。
【請求項２０】
前記データ収集ツールは、データネットワークに連結し、 前記競争報酬データベースの少なくとも一部に対する遠隔アクセスを供する操作が可能である請求項１７に記載のシステム。
【請求項２１】
前記報酬ワークベンチは、データネットワークに連結し、前記競争報酬データベースの少なくとも一部に対する遠隔アクセスを供する操作が可能である請求項１７に記載のシステム。
【請求項２２】
前記報酬ワークベンチは、少なくとも一つの第三者人的資源管理システムへ自動的にデータ供給する操作が可能である請求項１７に記載のシステム。
【発明の詳細な説明】
【０００１】
【発明の属する技術分野】
本発明はコンピュータ・データベース・システムの分野に係るものであり、特に、競争報酬ベンチマーキング・システム及び方法に関する。
【０００２】
【従来の技術】
多くの事業は、より良い「才能ある人材」や社員を採用し、雇用する為に、労働者報酬市場データを得て、分析して、解釈することが必要であること理解している。
【０００３】
しばしば、市場の圧力は、採用可能な資格を最も与えられた才能ある人材を識別し、又雇用し、そして、彼らが適切に認められ、報酬を受けているかを確認する為の経済団体を必要とする。
【０００４】
しかし、この作業を遂行する際にいくつかの問題点が起こる。
【０００５】
いくつかの企業体においては、以下のような領域の種々の競争者に対する労働者報酬をベンチマークする。即ち、給料範囲、給料増加、有給又は無給休暇、退職プログラム、更に、健康、歯、視力保護、保険プログラム、代理仕事の予定等。
【０００６】
効果的ベンチマーキングは、最新で正確であり、比較的大量のデータを必要とする。例えば、競争報酬データは、データベースへの編入の為、調査等を経た多数の経済団体から可能な限り集められる
一般に、調査は、管理することや、一地域、国又は世界的規模にて集計、編成されるデータを含めることに大きな労働を要する。
【０００７】
競争報酬データは、社内で編集されるか又は様々なソース（外注）から得られることができる。典型的競争報酬データベースは、以下を含む。即ち、超過時間、株式購入計画および賞金（業績手当ておよび利益分配等）のような要因に加えて基本給情報、インセンティブおよび総資金補償。
【０００８】
この種のデータから発生する報告は、売上高収益、地理的領域、産業タイプ、会社規模等を含む多数の基準に基づく突発的発生に加え、世界の若しくは国内の給料情報を含むことができる。
【０００９】
【発明が解決しようとする課題】
しばしば、外注化されたデータへのアクセスは、料金を払って、更に、少なくとも編集する一部のその資源をゆだね、そして、その労働者に関するデータを提出する企業体を必要とする。この情報の準備及び提出は又大変手間がかかる。
【００１０】
しかし、実際のコンパイル、保守およびデータベースの管理が第三者によって取り扱われるという点で、アウトソーシングは有利である。編集されたデータの整合性および正確さは、さまざまな要因により影響を受ける。
【００１１】
例えば、様々な労働者役割は、経済団体の間で一貫して定められないかもしれない。さまざまな事業の地理学的位置は、労働者報酬パッケージの中で重要性及び様式に影響を及ぼすかもしれない。通貨および文化全体の、地方の特定報酬および翻訳は、上記のデータに更なる不一致を加えることができる。調査不一致は、また、収集データの正確さに影響を及ぼすかもしれない。
【００１２】
本発明は、上記の従来技術において必要とされるもので、現在の競争報酬データを供するために改良されたシステム及び方法を提供することを目的とする。
【００１３】
【課題を解決する為の手段】
本発明は競争報酬データベースを実装及び／又は管理するためのシステムと方法に関する。
【００１４】
メンバデータは、データ供給を介し、少なくとも一つのメンバコンピュータより受信される。メンバ（原）データは、自動的にマップされて、競争報酬データベースに取り入れられる。
【００１５】
好ましい実施例において、競争報酬データベースは、基本給データ、長期インセンティブ支払データ及び年次インセンティブ支払データの少なくとも一つを含む。
【００１６】
他のデータ要素は、いかなる人事管理システムデータ要素、インセンティブデータ、特権データ及び／又は補給給付制度データも含むことができる。競争報酬データベースは、更に、少なくとも一つの算出データ値を含むことができる。
【００１７】
本発明の好ましい特徴の１つは、メンバデータのマッピングを調整するように操作可能であるデータ収集ツールである。好ましくは、データ収集ツールは、データネットワークに連結し、少なくとも一部の競争報酬データベースへの遠隔アクセス操作を可能にする。
【００１８】
本発明の他の特徴は、競争報酬データベースへの問い合わせの為の報酬ワークベンチ操作を可能とすることである。好ましくは、報酬ワークベンチは、データネットワークに連結させ、そして、少なくとも一部の競争報酬データベース（例えば、多数のメンバから受け取られるデータを集計する編集された統計）において遠隔アクセス操作を可能とする
好ましい実施例において、報酬ワークベンチは、少なくとも他の人的資源管理システムにデータ供給を自動化するよう操作可能である。
【００１９】
更に本発明は、競争報酬データベースシステムを目的とする。このシステムは、競争報酬データベース及びデータ通信チャネルを備えた競争報酬データベースサブシステムを有する。本システムは、競争報酬データベースへの編入より前に、自動的にメンバデータをマッピングするマッピングデータを有する。本システムは、更に、データ通信チャネルに連結するデータ供給を有するメンバコンピュータシステムを少なくとも一つ含む。
【００２０】
好ましい実施例において本システムは、更に、メンバデータのマッピング調整操作可能なデータ収集ツールを備えている。
【００２１】
好ましくは、データ収集ツールは、データネットワークに連結され、少なくとも一部の競争報酬データベースの遠隔アクセスが操作可能である。
【００２２】
本システムの他の好ましい特徴として、競争報酬データベースの問い合わせ操作可能な報酬ワークベンチを供する。好ましくは、報酬ワークベンチは、データネットワークに連結し、少なくとも一部の競争報酬データベースの遠隔アクセス操作が可能となるよう供される。報酬ワークベンチは、 少なくとも一つの第三者人的資源管理システムに、データ供給を自動化するように任意に操作可能である。
【００２３】
【発明の実施の形態】
以下にあげる用語は本出願の目的の為にそれぞれ後述する意味を有する。
【００２４】
データベース：後の検索に備えて格納される一まとまりの情報を意味する。従来、データベースは、分野、記録及びファイルによって構成される。領域は、情報の単一の部分である。記録は、１つの完了する領域の一組である。又、ファイルは一まとまりの記録である。「データベース」という用語は、ここでは広義の意味（即ち、一まとまりの情報）であり、そして、いかなる特定の構造又は実施に限られていない。
【００２５】
データネットワーク：データ通信において結びつけられる２つ以上のコンピュータシステムの一群を意味する。「データネットワーク」という用語は、ローカルエリアネットワーク（ＬＡＮ）、ネットワークのワイドエリアネットワーク（ＷＡＮ）及びイントラネット、エクストラネット及びインターネットを含み、有線、無線のコンピュータネットワーク、プロトコルの独立等のいかなるタイプも含む。
【００２６】
ＨＴＭＬ：ハイパーテキストマークアップランゲージの頭字語であり、ワールドワイドウェブ上の文書をつくるために用いるオーサリング言語である。ＨＴＭＬは、様々なタグ及び属性を用いてウェブ文書の構造及びレイアウトを定める。
【００２７】
リンク：ハイパーテキストリンクを供するＨＴＭＬエレメントを意味する。例えば、ＨＴＭＬドキュメント、イメージ等の他の資源にハイパーテキストリンクを特定するＨＲＥＦ属性を支えているＨＴＭＬ要素を指す。
【００２８】
サーバ：他の（例えば、クライアントの）プログラムに幾分のサービスを供するコンピュータ上のプログラム実行を意味する。
【００２９】
本発明は競争報酬データベースシステム及び管理の方法に関する。本システムは、データ供給を経た少なくとも一つのメンバコンピュータからメンバデータを受信する操作が可能であり、競争報酬データベースへの編入より前に、メンバデータを自動的にマップする。本システムは、好ましくは複数のメンバ人的資源管理システム（即ち、コンピュータシステム）に連結し、そして、定期的に原メンバデータの自動データ供給を受信する。
【００３０】
本願明細書において用いられる「メンバコンピュータシステム」は、メンバの人的資源管理システム（ＨＲＭＳ）に関連する。典型的なメンバＨＲＭＳは、所有者のソフトウェアパッケージ及び一つ以上のコンピュータで実行される。ＨＲＭＳを基礎とするコンピュータの実施、構成、保守及び動作は、当業者にとって周知である。
【００３１】
図１は、本発明のコンピュータシステムのブロック図を示す。本コンピュータシステムは、基本給データ、長期インセンティブ支払いデータ及び年次インセンティブのようなストアデータの操作が可能な、競争報酬データベースサブシステム１０（少なくとも一つのコンピュータと関係している）を有する。他のデータ要素は、インセンティブデータ、特権データ及び／又は補給給付制度データなどのいかなる人事管理システムデータ要素も含むことができる、
マッピングデータ２０は、競争報酬データベースへの編入より前に、原メンバデータを自動的にマッピングする過程を供する（具体的には下記に詳述する）。マッピングデータ２０は、一般に矢印２２に示すように（例えば、ＬＡＮ、ＷＡＮ、イントラネット、エクストラネット等を介し）、競争報酬データベースサブシステム１０に連結する
競争報酬データベースサブシステム１０は、好ましくは少なくとも一つのメンバコンピュータシステムに連結する。ブロック３０，３２，３４及び３６を参照のこと。
【００３２】
メンバコンピュータシステム３０，３２，３４及び３６と、競争報酬データベースサブシステム１０間のデータ通信（例えば、データ供給）は、一般に矢印４０によって示される。データベース報告機能に関連するデータ通信は、一般に矢印７０によって示される。データ収集ツール５２に関連するデータ通信は、一般に矢印５２によって示される。
【００３３】
システムのさまざまな部分間のデータ通信は、好ましくはインターネット等のデータネットワークを経て実行される。他のデータネットワーク構成は、本発明（例えば、ＬＡＮ、ＷＡＮ、イントラネット、エクストラネット等）と互換性を持つと解される。また、セキュリティは、ファイアウォール、安全なサーバ等を供することで強化される。
【００３４】
インターネットの場合、データ通信は、所望の目的地に着くより前に、しばしば一連の中間のネットワークノードと交差する。矢印４０，５２及び７０は、メンバコンピュータシステムと競争報酬データベースサブシステム間の直接の物理的な接続を示唆するのではなく、典型的インターネット通信（無接続、ベストエフォートパケットベースのシステム）を包含する。
【００３５】
他の構成要素は、例えばファイアウォール、ルータ、ポリシーサーバ、ウェブサーバ、アプリケーションサーバ、企業管理システム、データ通信チャネル（例えば、通信設備、賃貸データライン等）、スイッチ、暗号化製品及び／又はゲートウェイ等のような、メンバコンピュータシステム３０，３２，３４及び３６と、競争報酬データベースサブシステム間において、完全に通信を実行する為のものが必要となるかもしれない。
【００３６】
本発明のデータ通信を実行する必須のハードウェア及びソフトウェアの構成は、当業者にとって周知である。
【００３７】
データ収集ツール５０は、競争報酬データベースサブシステムに連結する。データ収集ツールは、好ましくは、ＨＲ及びラインマネージャを捕らえてベンチマーク世界ジョブマッチに入力するインターネットワールドワイドウェブを基礎とする「高性能」ツールである。好ましくは、データ収集ツールは、関係報告により（競争報酬データベースのデータに基づく）適当な従業員データと関連する。ラインマネージャは、彼らが監督するそれぞれの従業員について有利にデータをチェックすることができる。
【００３８】
報酬ワークベンチ６０は、競争報酬データベースサブシステムに連結する。報酬ワークベンチは、競争報酬データベースサブシステムに含まれるデータへのアクセスに対する分析的ツールである。報酬ワークベンチは、好ましくは 競争報酬データベースの問い合わせ操作可能であり、 競争報酬分析、総補償計画、データマイニング及び性能基礎分析に関連するさまざまな報告を供する。
【００３９】
データ収集ツール５０及び報酬ワークベンチ６０は、好ましくは、インターネットウェブサイトのホストである一つ以上のＨＴＭＬサーバを介し、実行される。
【００４０】
商業上又は公的に利用できるワールドワイドウェブサーバソフトウェアパッケージには、多くの種類がある。例えばＩＢＭ、ヒューレットパッカード、コンパック、デル、サン及び当業者にとって公知である多数の他のベンダーより一般入手可能なハードウェア（例えば、アパッチ、ＩＢＭウェブスフェア製品、ネットスケープエンタープライズ、マイクロソフトウィンドウズＩＩＳサーバ等）を実行できる全ての本発明と互換性を持つものを含む。
【００４１】
データ収集ツール５０又は報酬ワークベンチ６０へのアクセスを望んでいるメンバは、概して、外部データネットワークに連結する（例えば、インターネット）ネットワーク処理装置（図示せず）を使用する。
【００４２】
本願明細書において開示される、２台以上のネットワーク装置（例えば、ネットワーク処理装置、そして、競争報酬データベースサブシステム１０）は、装置が可能な間は、データ通信がある限り連結される（例えば、有線データ通信、無線データ通信等）。
【００４３】
典型的ネットワーク処理装置は、パソコン（携帯用又はデスクトップ用）、パーソナル携帯情報機器（ＰＤＡ）、ブラウザ電話、ツーウェイポケベル等を含む。だが、これらに制限されることない。
【００４４】
ネットワーク処理装置は、又、ユーザインタフェースを供し、外部データネットワーク（例えば、マイクロソフトインターネットエクスプローラ、ネットエスケープ、コミュニケータ、ミニブラウザ等）との通信を可能にするためのブラウザソフトウェア等を含む
インターネットのコンテキストにおいて、ネットワーク処理装置と競争報酬データベースサブシステム１０は、ＴＣＰ／ＩＰプロトコル（インターネットプロトコルの上の伝送制御プロトコル）によって通信する。各々は、ルートデータに装置の間で使われる特定のＩＰアドレス（例えば、ドットの十進記数法で通常示されるインターネットプロトコルによって定義される３２ビットアドレス）を有してネットワークアドレス指定が可能である。
【００４５】
更に、さまざまなネットワークプロトコルを使用している他のデータネットワークは本発明の使用に適すると解される。
【００４６】
図２は、競争報酬データベースサブシステム１０のブロック図を示す。競争報酬データベース１２は、一般に、メンバシステムから得られるデータの格納操作が可能である。しかし、メンバコンピュータシステムからの原データは、詳細に以下で詳述されるように、競争報酬データベース１２への編入より前に、マッピングデータ２０に従ってマップされなければならない。
【００４７】
コンピュータ／サーバ１４は、通信ハードウェア／ソフトウェア１６を介した、メンバコンピュータシステムとの通信において、一般に操作可能である。本発明に係るコンピュータ、サーバ、通信設備等の相互接続は、当業者の把握する範囲内である。例えば、競争報酬データベースサブシステム１０は、ＬＡＮ、ＷＡＮ、イントラネット、エクストラネット等を介して実行可能である。
【００４８】
図３は、本発明のメンバデータ供給の際のコンピュータシステムの動作を一般に示す図である。
【００４９】
好ましくは、メンバコンピュータシステム３０，３２，３４及び３６の各々は、少々規則的又は周期的（例えば、日毎、週毎、月毎）に、原データを自動転送するために構成される。別の方法では、競争報酬データベースシステム１０は、各々のメンバコンピュータシステムをポーリングするよう構成される。
【００５０】
原データは、ＨＴＴＰ、ＦＴＰ、ＧＯＰＨＥＲ、ＮＥＷＳ、ＮＮＴＰ、ＭＡＩＬＴＯ等、しかしこれに限られずいかなる通信プロトコルをも介して、転送される。
【００５１】
本発明は、複数所有者のＨＲＭＳの統合を考察する。各々のメンバコンピュータシステムは、異なる原データフォーマットを有する。
【００５２】
好ましくは、各々のメンバは、競争報酬データベースサブシステムに格納される関連データマップを有する。図１及び２（ブロック２０）を参照のこと。
【００５３】
データマップは、一般に、競争報酬データベースの対応位置の原データの各々のデータ要素を相関させる。競争報酬データベースに直接複製可能な原データもあるかもしれない。
【００５４】
原データの他の部分は、競争報酬データベースのフォーマットとの互換性のために必要な様に、翻訳され、拡大・縮小され、再フォーマットされ、再計算され及び／又は調整される。
一旦原データがマップされると、それは、競争報酬データベースに格納される。
【００５５】
図４は、（マッピングデータ２０に取り込まれる）データマッピングテーブルの典型的な部分を示す。メンバのＨＲＭＳからの原メンバデータは複数の記録を含む。
【００５６】
図４は、一人の従業員に関する情報を含むＨＲＭＳデータベース記録の抜粋のためのデータマッピングを示す。好ましい実施例において、原データの全ては、競争報酬データベースの対応する領域にマップされる。別の実施例において、いくつかの原データ（例えば、従業員名、社会保障数等）は、競争報酬データベースから省略可能である。原データのいくつかの部分は、競争報酬データベースの適当な記憶位置に単にマップされる。
【００５７】
上述の通り、競争報酬データベースのフォーマットとの互換性の為に必要な様に、いくつかの原データは、翻訳され、拡大・縮小され、再フォーマットされ、再計算及び／又は調整されることができる。例えば、あるＨＲＭＳは、テキストストリング（例えば、ＡＳＣＩＩコード）によって与えられた従業員位置を特定することができる。競争報酬データベースは、複数のニューメリックコード（即ち、仕事コード）により、有利に実行される。上述の開示に基づく本発明のデータマッピングテーブルの一般の実施と同様に、ニューメリックコードに対するテキストストリングの翻訳も、当業者の把握する範囲内である。
【００５８】
動作において、メンバコンピュータシステムの各々は、原データを競争報酬データベースシステムに転送する。原データは、マップされて、必要に応じて再フォーマットされ、そして、競争報酬データベースに取り込まれる。
【００５９】
データ収集ツール５０は、関係報告による適切な従業員データによって占められる競争報酬データベースの部分をメンバ（例えば、ＨＲマネージャ、ラインマネージャ）が参照する為に使用される。マネージャは、彼らが監督する各々の従業員についてデータをチェックすることができる。
【００６０】
好ましくは、マネージャが、労働者に、機能、規律、レベル及び範囲、又は高い処理能力の者へのタグつけを可能にするよう、メニュー選択方式のオプションが用意される。好ましくは、処理をマッチングすることにより、マネージャをガイドする為にオンラインヘルプを利用できる。
【００６１】
好ましい本発明の形態において、ＨＲ及びラインマネージャは、進行中のＨＲ方法の一部として、マッピングと競争報酬データベース情報を再検討及び更新することができる。
【００６２】
このように、本発明は競争報酬データベースシステム（例えば、機能、規律、レベル）の全てのメンバによって決められるベンチマークの従業員の最新のマッピングを有利に供する。これは、市場データのマネージャ容認を促進して、確固な、高品質のデータを確実にする。
【００６３】
報酬ワークベンチ６０は、競争報酬データベースサブシステムに含まれるデータへのアクセス操作可能な総合的分析的ツールを有するメンバを供する。
【００６４】
報酬ワークベンチは、好ましくは以下のことが操作可能である。即ち、報酬実行及び計画準備の普及を問い合わせ、メンバ報酬値を特定のコンパレータグループと比較し、市場参照データを競争報酬データベースから作成し、基本給構造をモデル化して作成し、コスト関連を分析し、メンバ自身のデータをデータマイニング分析処理し、競争報酬データベースの他のカスタムメイドのリアルタイム分析を生成する。さまざまな報告の生成及び競争報酬データベース情報に基づく分析は、当業者によって周知の範囲である。
【００６５】
好ましい実施例において、報酬ワークベンチは、調査の報告のための、フォーマッティング及びフォーマットされたメンバデータ転送を供する。この情報は、自動的に第三者ＨＲＭＳに送られる。図１（参照番号８０）を参照のこと。
【００６６】
報酬ワークベンチ６０は、広範囲にわたる高度な分析を実行するための確固なデータソースへの直接のアクセスを有利に供する。これは、（データ収集ツールを使用することにより）最初のベンチマークマッチしている及び確認効果を導入して、調査報告方法の効率を改善する。報酬ワークベンチ６０も、競争報酬データを、他の専門化された人的資源システムに電子供給することが可能である。
【００６７】
競争報酬データベースに含まれるいくつかのデータは、全てのユーザが利用できるわけではない。例えば、各々のメンバは、好ましくは、メンバの原データに由来する競争報酬データベースに含まれるデータの全てにアクセスすることができる
各々のメンバは、また、他のメンバ原データ（例えば、多数のメンバから受け取られるデータを要約している編集された統計）に由来する競争報酬データベースに含まれるデータのサブセットにアクセスすることができる。しかし個々の従業員名、社会保障数、個人データ及び支払い請求情報は、他のメンバが利用できないようにする。
【００６８】
一般に、メンバデータへのアクセスは、国際的な、連邦の、国と地方の規則（例えば、新しいデータの公開のタイミング、公表されるデータの詳細のレベル及びさまざまな地理的領域に関するデータの公開）の遵守のために、必要に応じて制限される。
【００６９】
本発明は、好ましい実施例において強調して記載されているが、それと共に、従来技術における通常の技術を有するものにとって明らかである好ましい実施例の装置及び方法の変更例においても使用可能である。また、本発明は、本願明細書において特に記載されている以外の装置及び方法を用いても実施可能であると解される。したがって、本発明は請求項に記載される本発明の精神と範囲中に含まれる全ての変更形態を含む。
【図面の簡単な説明】
【図１】
図１は、本発明のコンピュータシステムの基本的構成要素を示す一般のブロック図である。
【図２】
図２は、本発明の競争報酬データベースサブシステムの基本的構成要素を示すブロック図である。
【図３】
図３は、本発明のメンバデータ供給に関するコンピュータシステムの動作を示すフローチャート図である。
【図４】
図４は本発明の典型的なデータマッピングテーブルである。
【図１】
2004507831.tif 000003
【図２】
2004507831.tif 000004
【図３】
2004507831.tif 000005
【図４】
2004507831.tif 000006
【国際公開パンフレット】
2004507831.tif 000007
2004507831.tif 000008
2004507831.tif 000009
2004507831.tif 000010
2004507831.tif 000011
2004507831.tif 000012
2004507831.tif 000013
2004507831.tif 000014
2004507831.tif 000015
2004507831.tif 000016
2004507831.tif 000017
2004507831.tif 000018
2004507831.tif 000019
2004507831.tif 000020
2004507831.tif 000021
2004507831.tif 000022
2004507831.tif 000023
2004507831.tif 000024
2004507831.tif 000025
2004507831.tif 000026
【手続補正書】
【提出日】平成14年9月12日(2002.9.12)
【手続補正１】
【補正対象書類名】明細書
【補正対象項目名】特許請求の範囲
【補正方法】変更
【補正の内容】
【特許請求の範囲】
【請求項１】
データベースに格納する為に複数メンバに関連するコンピュータシステムから前記競争報酬データを取得し、全てのメンバから収集された記憶媒体中の競争報酬データの収集をサポートするデータ供給を介して各メンバのコンピュータシステムはデータベースに連結され、
結果的に前記競争の一部は前記データベースのデータベースフォーマットと互換性を持たない原データフォーマットを含み、前記データベースフォーマットの為の前記原データフォーマットを有する前記競争報酬データの一部を変換し、
各メンバに対し前記競争報酬データの少なくとも選択されたセグメントをマップする為のデータマッピングテーブルを使用し、
前記メンバの一人より転送されたリクエストに応答する一人以上の前記メンバに関する前記競争報酬データの分析を達成する為に複数の前記データベースの記録を処理する
ことを有する複数メンバの競争報酬データを管理する方法。
【請求項２】
前記競争報酬データベースは、基本給支払データ、長期インセンティブ支払データ及び年次インセンティブ支払データの少なくとも１つを含む請求項１に記載の方法。
【請求項３】
前記競争報酬データベースは、少なくとも一つの算出データ値を含む請求項１に記載の方法。
【請求項４】
メンバが競争報酬データベースの少なくとも一部に遠隔アクセスするのを許可するデータネットワークに連結されたデータ収集ツールが、前記競争報酬データのマッピング調整の操作を可能である請求項１に記載の方法。
【請求項５】
メンバが競争報酬データベースの少なくとも一部に遠隔アクセスするのを許可するデータネットワークに連結された報酬ワークベンチが、前記競争報酬データベースの問い合わせ操作が可能であり、競争報酬データの電子供給を少なくとも第三者人材マネジメントシステム許可する請求項１に記載の方法。
【請求項６】
前記競争報酬データは固定された補償データと前記メンバに使用される個人のインセンティブ補償データの少なくとも１つを含む請求項１に記載の方法。
【請求項７】
前記競争報酬データを取得することは、前記データベースへの前記データ供給を介して各メンバのコンピュータシステムから前記競争報酬データを転送することを含む請求項１に記載の方法。
【請求項８】
前記競争報酬データを取得することは、更に、各メンバのコンピュータシステムから周期的な基礎上の前記データベースへ前記競争報酬データを転送することを含む請求項７に記載の方法。
【請求項９】
前記各メンバの前記競争報酬データを取得することは、
前記データベースから一人のメンバのコンピュータシステムにポリング信号を送信し、
前記データ供給を介して前記メンバのコンピュータシステムから前記データベースへ前記競争報酬データを転送して前記ポリング信号に応答する
ことを備える請求項１に記載の方法。
【請求項１０】
前記データマッピングは、
前記メンバと関連する前記競争報酬データの選択されたセグメントを、データベース記録の対応する領域に、手動介入なしでマップする為に前記通信メンバに割り当てられるデータマッピングテーブルを使用し、
前記データベースに前記データベース記録を格納する
ことを備える請求項１に記載の方法。
【請求項１１】
前記競争報酬データの前記分析に関連する報告を生成することを更に備える請求項１に記載の方法。
【請求項１２】
前記分析は、１つの確立されたベンチマークのための前記リクエストをするメンバの従業者の報酬データを更新してマッピングする為に供される請求項１に記載の方法。
【請求項１３】
前記分析は、前記データベースによって維持される前記競争報酬データに由来する１つのベンチマークと、前記リクエストするメンバの前記報酬データを比較する請求項１に記載の方法。
【請求項１４】
前記分析は、報酬実行の前記普及と、複数の前記メンバより提出される補償報酬データから成る確固としたデータセットに基づく計画準備を評価する能力を有する前記リクエストするメンバを供する請求項１に記載の方法。
【請求項１５】
前記分析は、特定の比較グループに対する１人のメンバの異なる競争報酬データの値を比較する能力を有する前記リクエストするメンバを供する請求項１に記載の方法。
【請求項１６】
前記分析は、全てまたは一部のメンバによって提出される競争報酬データに基づく参照データ市場に拠点を置く補償を作成することを前記リクエストするメンバに許可する請求項１に記載の方法。
【請求項１７】
前記分析は、前記リクエストするメンバに、複数の前記メンバに提出される競争報酬データを評価することによってベース補償構造をモデル化して、作成することを許可する請求項１に記載の方法。
【請求項１８】
複数の前記メンバのうちの１人でない関係者に対する調査報告ために、複数の前記メンバの１人に代わって複数の前記メンバの１人に代わって電子フォーマットのデータベースにおいて維持される前記競争報酬データをエクスポートすることを更に含む請求項１に記載の方法。
【請求項１９】
前記メンバコンピュータシステムの１つが、前記データベースにおいて維持される、競争報酬データのサブセットだけ通信するメンバに代わってアクセスすることができ、前記サブセットは、前記メンバの競争報酬データと、複数の前記メンバから得られる競争報酬データの編集に由来する編集された競争報酬データから成る請求項１に記載の方法。
【請求項２０】
データベースに格納する為に複数メンバに関連するコンピュータシステムから前記競争報酬データを取得し、データ供給を介して各メンバのコンピュータシステムはデータベースに連結され、
結果的に前記競争報酬データの一部は前記データベースのデータベースフォーマットと互換性を持たない原データフォーマットを含み、前記データベースフォーマットの為の前記原データフォーマットを有する前記競争報酬データの一部を変換し、
前記競争報酬データの少なくとも選択されたセグメントをマップする為のデータマッピングテーブルを使用し、
競争報酬の分析を完了するため、リクエストしている前記メンバの一つによってアクセスできる補償報酬データのサブセットのための複数の前記データベース記録の処理を行い、前記サブセットは、リクエストする前記メンバの競争報酬データと、複数の前記メンバから得られる競争報酬データの編集に由来する編集された競争報酬データから成り、
リクエストする前記メンバのため前記分析の報告を生成し、それによって、前記分析は、確立したベンチマークに対するリクエストする前記メンバによって使用される個人のための最新のマッピングを供する
ことを備える複数のメンバのための競争報酬データを管理するための方法。
【請求項２１】
前記競争報酬データは、各々のメンバによって使用される個人のための固定された支払データおよびインセンティブ補償データの少なくとも１つを含む請求項２０に記載の方法。
【請求項２２】
前記競争報酬を得ることは、データ供給を前記データベースに介した周期的な基礎上の各々のメンバコンピュータシステムから競争報酬データを送信することを含む請求項２０に記載の方法。
【請求項２３】
各々のメンバのための競争報酬データを得ることは、
前記データベースから前記メンバコンピュータシステムのうちの１つにポリング信号を送信し、
ポリング信号に応答し、データ供給を介しメンバコンピュータシステムから前記データベースに前記競争報酬データを送信する
ことを含む請求項２０に記載の方法。
【請求項２４】
前記競争報酬を取得することは、データ供給を介し手動介入のない予め定められた間隔の各々のメンバコンピュータシステムから前記データベースに競争報酬データを送信することを含む請求項２０に記載の方法。
【請求項２５】
複数の異なる実体によって寄与される競争報酬データから成る一まとまりの記録を格納するためのコンピュータデータベースであり、前記データベースは、各々の実体によってアクセスできる記憶媒体に維持され、
各々は前記実体のうちの１つと関連し、又、前記データベースに対する前記実体の為、競争報酬データの前記通信をサポートする為のデータ供給を介しデータベースに連結し、
前記コンピュータデータベースは、データベースフォーマットと前記データベースに関して互換性を持たない、実体に特有の原データフォーマットから成るメンバコンピュータシステムのうちの１つから前記データ供給を介し、受信した前記競争報酬データの一部の判定に応答し、データベースフォーマットに対する原データフォーマットを有する前記競争報酬データの前記１部分を変換する為のマッピングデータの使用操作が可能であり、
前記コンピュータデータベースは、前記メンバのうちの１つから電子的に送信されるリクエストに応答し、一つ以上のメンバと関連する前記競争報酬データの分析を完了する為の複数の前記記録を処理する操作が可能である
ことを含む競争的報酬データベースシステム。
【請求項２６】
各々のメンバコンピュータシステムは、データ供給を介し、手動介入のない予め定められた間隔の各々の実体からコンピュータデータベースに競争報酬データを送信するよう稼動する競争報酬データベースシステム。
【請求項２７】
各々のメンバコンピュータシステムは、データ供給を介し、周期的な基礎上の各々の実体からコンピュータデータベースに競争報酬データを送信するよう稼動する請求項２５に記載の競争報酬データベースシステム。
【請求項２８】
前記データベースは、前記メンバコンピュータシステムのうちの１つにポリングに信号を送信するよう稼動する請求項４３に記載の競争報酬データベースシステム。
【請求項２９】
前記実体のうちの１つのために機能する分析をサポートするに、コンピュータデータベースに維持される競争報酬データにアクセスを得るため、コンピュータネットワークを介し、前記データベースに連結するデータ収集ツールを更に備える請求項２５に記載の競争報酬データベースシステム。
【請求項３０】
前記コンピュータネットワークに維持される競争報酬データにアクセスするために問い合わせを送信し、競争報酬データの分析に関する生成分析報告する為、コンピュータネットワークを介し前記データベースに連結する報酬ワークベンチを更に備える請求項２５に記載の競争報酬データベースシステム。
【請求項３１】
前記競争報酬データは、前記メンバによって使用される個人のための固定された補償データ及びインセンティブ補償データの少なくとも１つを含む請求項２５に記載の競争報酬データベースシステム。
【国際調査報告】
2004507831.tif 000027